(57)【要約】【課題】  ダンパー材の使用量を削減し、確実且つ容易にダンパー材の充填が行なえる構造の対物レンズ駆動装置を提供すること。【解決手段】  一対のダンパー材の保持部は、各々、凹部を構成する側壁部と、前記凹部を複数の開口空間に仕切る仕切り壁と、を有し、前記複数の開口空間の各々に前記弾性支持部材が配置され、前記仕切り壁の開口側端面を、前記仕切り壁の仕切り方向に位置する前記側壁部の開口側端面より内側に位置するよう形成する。【選択図】    図２
2006221709.tif 000002
【特許請求の範囲】
【請求項１】
対物レンズが取り付けられたホルダと、このホルダを少なくともフォーカス方向及びトラッキング方向へ移動可能に、前記ホルダと対向配置された固定側部材に支持する複数の弾性支持部材と、前記固定側部材のトラッキング方向両側に設けられ、前記弾性支持部材の一端側を囲撓するように充填されるダンパー材を保持する凹部を有する一対の保持部と、前記ホルダの前記移動のための電磁力を付与する電磁駆動手段とを具備する対物レンズ駆動装置において、
前記１対の保持部は、各々前記凹部を構成する側壁部と、前記凹部を複数の開口空間に仕切る仕切り壁と、を具備し、
前記複数の開口空間の各々に前記弾性支持部材が配置され、
前記仕切り壁の開口側端面は、前記仕切り壁の仕切り方向に位置する前記側壁部の開口側端面より内側に位置するよう形成されていることを特徴とする対物レンズ駆動装置。
【請求項２】
請求項１において、前記複数の開口空間における各開口空間の間には、前記仕切り壁に隣接させて前記側壁部の開口側端面とは段差のある段差面が設けられていることを特徴とする対物レンズ駆動装置。
【請求項３】
請求項１または２において、前記仕切り壁の開口側端面は、前記開口空間側に傾斜した斜面部を有することを特徴とする対物レンズ駆動装置。
【請求項４】
請求項３において、前記斜面部は隣り合う開口空間側にそれぞれ傾斜していることを特徴とする対物レンズ駆動装置。
【請求項５】
請求項１において、前記ダンパー材は流動性を有する粘性弾性体であることを特徴とする対物レンズ駆動装置。
【発明の詳細な説明】
【技術分野】
【０００１】
本発明は、ＣＤやＤＶＤなどの光ディスクの記録、再生を行う光ヘッド装置の対物レンズ駆動装置に関するものである。さらに詳しくは、対物レンズの支持構造に関するものである。
【背景技術】
【０００２】
ＣＤやＤＶＤ等の光ディスクの記録、再生を行う光ヘッド装置の対物レンズ駆動装置として、対物レンズをワイヤで支持するものがよく知られている。
【０００３】
対物レンズはこれを保持するホルダに固定され、このホルダと固定部材との間に複数本の導電性ワイヤを懸架し、対物レンズをフォーカシング及びトラッキング方向に移動可能に支持し、磁気駆動回路により、フォーカシング及びトラッキング方向に駆動している。前記固定部材には、凹部状の空間部を設け、この空間部に弾性支持部材の一端側を囲撓するように粘弾性材のシリコンゲルを充填し、共振時の振動レベルを抑制している。（例えば特許文献１参照）
【特許文献１】実用新案登録第２５２１５６４号公報
【発明の開示】
【発明が解決しようとする課題】
【０００４】
上記特許文献１には、複数の弾性支持部材が１つの大きな空間部に配置されたものと、各弾性支持部材をそれぞれ異なる凹部に配置したものとが開示されている。しかしながら、前者は、ダンパ材の充填スペースである空間部が大きく設けられているため、ダンパー材が多量に必要となり、ダンパー材は比較的高価であり、コスト面から望ましくはない、という問題がある。他方、後者は各弾性部材をそれぞれ１つの断面円形の凹部に配置し該凹部内にダンパー材を充填したものであり、且つ前記凹部の開口端面は同一平面になっているため、ダンパー材の充填は前記断面円形の凹部の開口から直接行なうほかなく充填作業がしにくいという問題がある。また、後者の場合、ダンパー材が粘性を有しているため途中でダンパー材がとどまって、前記凹部内に気泡が生じてしまい、弾性支持部材に所望のばね定数が得られない可能性もある。
【０００５】
以上の問題点に鑑みて、本発明の課題は、ダンパー材の使用量を削減するとともに、確実且つ容易にダンパー材の充填が行なえる構造の対物レンズ駆動装置を提供することにある。
【課題を解決するための手段】
【０００６】
上記課題を解決するために、本発明では、対物レンズが取り付けられたホルダと、このホルダを少なくともフォーカス方向及びトラッキング方向へ移動可能に、前記ホルダと対向配置された固定側部材に支持する複数の弾性支持部材と、前記固定側部材のトラッキング方向両側に設けられ、前記弾性支持部材の一端側を囲撓するように充填されるダンパー材を保持する凹部を有する一対の保持部と、前記ホルダの前記移動のための電磁力を付与する電磁駆動手段とを具備する対物レンズ駆動装置において、前記１対の保持部は、各々前記凹部を構成する側壁部と、前記凹部を複数の開口空間に仕切る仕切り壁と、を具備し、前記複数の開口空間の各々に前記弾性支持部材が配置され、前記仕切り壁の開口側端面は、前記仕切り壁の仕切り方向に位置する前記側壁部の開口側端面より内側に位置するよう形成されていることを特徴とする。
【０００７】
また、本発明では、前記複数の開口空間における各開口空間の間には、前記仕切り壁に隣接させて前記側壁部の開口側端面とは段差のある段差面が設けられていることが好ましい。このように構成すると、凹部を構成する側壁部の開口側端面と前記仕切り壁の端面との間に空間部が形成されるため、この空間部をダンパー材充填時の注ぎ口兼溜まり部として利用でき、充填作業が容易となる。
【０００８】
さらに、本発明では、前記仕切り壁の開口側端面は、前記開口空間側に傾斜した斜面部を有することが好ましい。このような構成にすると、ダンパー材充填時にダンパー材が前記斜面部に沿って前記保持部の深部へと円滑に流れ込むため、空気を開口部の外へ追い出すことができ、気泡がダンパ材内部もしくはその奥に溜まることがない。また、前記段差面が形成された構成のものに適用した場合は、実質上ダンパー材溜まり部が形成されるため、よりいっそうダンパー材の充填作業がやりやすくなる。
【０００９】
さらにまた、本発明では、仕切り壁の前記斜面部は隣り合う開口空間側にそれぞれ傾斜していることが好ましい。このように構成すると、複数の開口空間内に同時に充填することがきわめて容易となる。
【００１０】
また、本発明では、前記ダンパー材は流動性を有する粘性弾性体であることが好ましい。このような粘性弾性体を使用すれば、徐々に前記保持部の深部へと流れ込み、確実なる充填が可能となる。
【発明の効果】
【００１１】
本発明にかかる対物レンズ駆動装置では、対物レンズが取り付けられたホルダと、このホルダを少なくともフォーカス方向及びトラッキング方向へ移動可能に、前記ホルダと対向配置された固定側部材に支持する複数の弾性支持部材と、前記固定側部材のトラッキング方向両側に設けられ、前記弾性支持部材の一端側を囲撓するように充填されるダンパー材を保持する凹部を有する一対の保持部と、前記ホルダの前記移動のための電磁力を付与する電磁駆動手段とを具備する対物レンズ駆動装置において、前記１対の保持部は、各々前記凹部を構成する側壁部と、前記凹部を複数の開口空間に仕切る仕切り壁と、を具備し、前記複数の開口空間の各々に前記弾性支持部材が配置され、前記仕切り壁の開口側端面は、前記仕切り壁の仕切り方向に位置する前記側壁部の開口側端面より内側に位置するよう形成されている。従って、仕切り壁を設けているのでこの分、ダンパ材の使用量（充填量）を削減できる。また、仕切り壁の開口側端面は、前記仕切り壁の仕切り方向に位置する前記側壁部の開口側端面より内側に位置しているため、前記仕切り壁の開口側端面と前記側壁部とで空間部が形成され、前記ダンパー材充填時、前記空間部をダンパー材の溜まり部として利用でき、確実且つ容易にダンパー材の充填ができる。
【発明を実施するための最良の形態】
【００１２】
以下に、図面を参照して、本発明が適用される対物レンズ駆動装置を説明する。
【００１３】
（対物レンズ駆動装置の概略構成）
図１（ａ）、（ｂ）は、本発明が適用される対物レンズ駆動装置の平面図、および斜め上方からみた斜視図を示す。
【００１４】
図１（ａ）、（ｂ）に示す対物レンズ駆動装置１は、ＣＤやＤＶＤなどの光記録ディスクの記録、再生等に用いられるものであり、この対物レンズ駆動装置１では、光源からの出射光を光記録媒体に収束させる対物レンズ３を保持した樹脂製のレンズホルダ２を、導電性金属線からなる弾性支持部材６１、７１、８１で支持した方式が採用されている。
【００１５】
本形態の対物レンズ駆動装置１では、対物レンズ３を保持するレンズホルダ２と、固定側部材５とが対向配置されており、レンズホルダ２の側に搭載された駆動コイル７、８及び図示されない別の駆動コイルと、磁性体からなり前記レンズホルダ２を支持するホルダ支持部材１０に、一体的に形成された外ヨーク１７、１９に搭載されたマグネット１５、１６によって、レンズホルダ２をフォーカシング方向、トラッキング方向、およびチルト方向に駆動するための磁気駆動回路が構成されている。すなわち、レンズホルダ２の胴部周囲に設けた環状のフォーカシング用駆動コイル７と、フォーカシング用駆動コイル７の外面に貼付された４個の平面コイルからなるトラッキング用駆動コイル８、及び前記別の駆動コイルであるレンズホルダ２の内側に相対向するように貼着された一対のチルト用駆動コイル（図示せず）とを備えている。また、ホルダ支持部材１０には、フォーカシング用駆動コイル７、およびトラッキング用駆動コイル８に対向する一対のトラッキング・フォーカシング用駆動マグネット１５と、フォーカシング用駆動コイル７、およびチルト用駆動コイルに対向する一対のチルト用駆動マグネット１６とを備えている。
本対物レンズ駆動装置１においては、前記フォーカシング用駆動コイル７、トラッキング用駆動コイル８及びチルト用駆動コイル並びにこれら駆動コイルに対応するマグネット１５、１６で電磁駆動手段を構成している。
【００１６】
上記チルト用駆動マグネット１６は、レンズホルダ２に対してトラッキング方向Ｔｒの外側でホルダ支持部材１０の底板から起立形成した外ヨーク１７の内面に固着されている。また、ホルダ支持部材１０には、外ヨーク１７の内面に対向する位置に内ヨーク１８が起立形成されている。
【００１７】
一対のトラッキング・フォーカシング用駆動マグネット１５は、チルト用駆動マグネット１６に対して直交する向きにホルダ支持部材１０の底板から起立形成した一対の外ヨーク１９の内面に固着されている。また、ホルダ支持部材１０には、レンズホルダ２の内側であって外ヨーク１９の内面に対向する位置に内ヨーク２０が起立形成されている。
【００１８】
このように構成した対物レンズ駆動機構１において、フォーカシング用駆動コイル７はチルト用駆動マグネット１６と、トラッキング・フォーカシング用駆動マグネット１５に対向させ、フォーカシング用駆動コイル７に所定の電流がワイヤを介して通電されることにより、レンズホルダ２をフォーカシング方向Ｆｏに駆動することができる。
【００１９】
チルト用駆動コイルは、チルト用駆動マグネット１６に対向しており、チルト用駆動コイル所定の電流がワイヤを介して通電されることにより、レンズホルダ２をチルト方向Ｔｉに駆動することができる。
【００２０】
トラッキング用駆動コイル８は、トラッキング・フォーカシング用駆動マグネット１５に対向していて、トラッキング用駆動コイル８に所定の電流がワイヤを介して通電されることにより、レンズホルダ２をトラッキング方向Ｔｒに駆動することができる。
【００２１】
対物レンズ３を保持するレンズホルダ２は、所定のバネ定数を有する弾性支持部材としての６本のワイヤ６１、７１、８１により、トラッキング方向Ｔｒとフォーカシング方向Ｆｏおよびチルト方向Ｔｉに移動可能に支持されている。これらワイヤ６１、７１、８１は、レンズホルダ２のトラッキング方向Ｔｒ外側の両側に各々３本を組として、図１（ｂ）に示すように、ワイヤ６１と８１をレンズホルダ２のフォーカシング方向Ｆｏの上面側に、ワイヤ７１を下面側にそれぞれ配置し、ワイヤ６１はワイヤ８１および７１のフォーカシング方向Ｆｏの中心位置より上面側のワイヤ８１寄りに配置している。これらワイヤ６１７１、８１は、レンズホルダ２のフォーカシング方向Ｆｏの上側と下側およびその中間に各々平行に離間させている。尚、３本のワイヤからなる組は、レンズホルダ２のトラッキング方向Ｔｒの両側において対称に配置され、かつ同一に構成しているので、図１においては、ワイヤ６１、７１、８１からなる一方の組についてのみ説明し、他方の組については一方の組と同じであるので説明を省略する。
【００２２】
一方の組のワイヤ６１、７１、８１は、基端側をホルダ支持部材１０に対して垂直に取り付けた固定側部材５の背面側（レンズホルダ２に対向する面と反対側の面）に貼着されたプリント基板５０の図示しない配線パターンに半田等により各々固定されている。また、ワイヤ６１および８１の先端側は、レンズホルダ２の前方側に設けた固定部２３に形成した透孔に挿通させて、レンズホルダ２の前方側に貼設したプリント基板２２の配線パターンに半田等により各々接続することにより固定している。さらにワイヤ７１の先端側も、レンズホルダ２の前方側に設けた図示しない上記固定部２３とは別に設けられた固定部に形成した透孔に挿通させて、プリント基板２２の配線パターンに半田等により固定している。                
【００２３】
なお、対物レンズ３の駆動時において可動部であるレンズホルダ２の共振を抑制するため、上記固定側部材５には、ワイヤ６１、７１および８１に対する収容部となり、ダンパー材としての紫外線硬化型粘性弾性体が充填される開口空間を有する１対の保持部が形成されている。
【００２４】
（ダンパー材保持部の構成と作用）
図２は、本発明を適用した対物レンズ駆動装置のダンパー材保持部の構成を示す斜視図であり、図３は、図２のダンパー材保持部のＸ−Ｘ´線断面斜視図であり、図４は、ダンパ材が充填された状態のダンパー材保持部の構成を示す断面図である。なお、図２及び図３はダンパー材が充填される前の状態を示す。
【００２５】
図２乃至及び図４に基づき、対物レンズ駆動装置１における保持部５１の構成を以下に説明する。
【００２６】
保持部５１は、樹脂で一体成形された固定側部材５のトラッキング方向両側にそれぞれ配置され、各保持部５１は一端側が大きく開口し側壁部５１ａを有する凹部５２とこの凹部５２のほぼ中央位置に設けられ前記凹部５２を２つの開口空間５３ａ、５３ｂに仕切る仕切り壁５４が形成されている。この仕切り壁５４は図３、４で明らかなようにＸ−Ｘ´断面が長方形となっている。また、前記仕切り壁５４の開口側端面５４ａは、平坦状に形成され、前記側壁部５１ａの開口側端面５１ｂより内側に位置するように設けられている。即ち、本形態では、前記凹部５２を構成する前記側壁部５１ａ全周に渡り、その開口側端面５１ｂが仕切り壁の開口側端面５４ａより外側に位置した構成になっている。さらに、前記各開口空間５３ａ、５３ｂの間には、前記仕切り壁５４とその仕切り方向に隣接し且つ前記側壁部５１ａの開口側端面５１ｂとは段差のある段差面部５４ｂが設けられている。従って前記凹部５２を構成する前記側壁部５１ａと前記段差面部５４ｂとで前記開口空間５３ａ、５３ｂに連なる空間部（以下、便宜上、連設空間部という）が形成されている。尚、本形態では前記仕切り壁の開口側端面５４ａと前記段差面５４ｂとは同一面となっているが、必ずしも同一面でなくてもよい。
【００２７】
ダンパー材である紫外線硬化型粘性弾性体４の保持部５１がこのように構成されると、
前記各ワイヤのうち６１と８１はその一端部が同一の開口空間５３ａ内に、７１はその一端部が開口空間５３ｂ内にそれぞれ収容され、前述のように各ワイヤはその端部側をプリント基板２２、５０に半田等により固定される。
【００２８】
ワイヤが所定位置に固定された後、流動性を有する前記粘性弾性体４を図示しないダンパー材充填用ノズル等で各ワイヤ６１、７１、８１の基端側を囲撓するように前記保持部５１の開口空間５３ａ、５３ｂに充填する。この場合、本形態では、前記連設空間部から前記粘性体４を注入すると前記連設空間部及び前記仕切り壁５４の開口側端面５４ａ上に前記粘性弾性体４が溜まり、この溜まった粘性弾性体４が前記仕切り壁５４の側面並びに前記側壁部５１ａに沿って徐々に凹部５２の深部へと流れ込み、前記各ワイヤ６１、７１、８１の基端側を囲撓するように凹部５２のほぼ全体を埋めることとなる。その後、前記粘性弾性体４に紫外線を照射することにより前記粘性体４を硬化させ前記各ワイヤが前記保持部５１に保持せしめられる。
【００２９】
本形態では、近接配置される弾性支持部材同士を同じ開口空間内に配設し、他の弾性支持部材を別の開口空間内に配設しているが、開口空間設置に余裕があれば各ワイヤ毎に開口空間を設けてもよい。また、対物レンズ３のフォーカシング駆動時に各ワイヤ６１、７１、８１も粘性弾性体４の中をフォーカシング方向に前記開口空間５３ａ、５３ｂ内を移動せしめられるが、その移動距離よりも離れた位置に前記仕切り壁５４が形成されており、フォーカシング駆動に干渉しないようになっている。
【００３０】
（本形態の主な効果）
以上説明したように、本形態の対物レンズ駆動装置１では、前記保持部５１に、仕切り壁５４を設けているため、ダンパー材としての紫外線硬化型粘性弾性体４の量を大幅に削減できるとともに、前記粘性弾性体４を保持部５１の凹部５２へ充填する場合に、仕切り壁５４の開口側端面５４ａや前記連設空間部を前記粘性弾性体４の注入口とすることができ、従来の単に円形凹部を設けたものに比べ、充填作業が容易となる。また、前記仕切り壁５４の側面並びに前記側壁部５１ａに沿って徐々に凹部５２の深部へと浸透していくため、ダンパー材内部や凹部５２の深部に気泡が溜まらず、ダンパー効果を損ねることがない。
【００３１】
また、本形態では、凹部５２を構成する側壁部５１ａの全周にわたり、その開口側端面５１ｂを前記仕切り壁５４の開口側端面５４ａより外側に位置するようにしているため、ダンパー材を十分溜められる空間が形成され、ダンパー材充填の作業性が向上する。
【００３２】
（その他の実施の形態）
図５は本発明のダンパー材保持部の変形例を示す斜視図であり、図６は図５のＹ−Ｙ´線断面斜視図であり、図７は図５の保持部にダンパ材が充填された状態のダンパー材保持部の構成を示す断面図である。
【００３３】
上記形態では、仕切り壁５４はそのＸ−Ｘ´線断面を長方形に構成したが、図５乃至図７のように、上記形態の仕切り壁５４の開口側端面５４ａに相当する部位を斜面状に形成してもよい。この例では仕切り壁５５のほぼ中央位置から両側の開口空間へ傾斜した斜面部５５ａ、５５ａ´が形成されている。このように構成すると、粘性弾性体４の充填時に前記粘性弾性体４が斜面部５５ａ、５５ａ´に沿って前記保持部の深部へ円滑に流れ込むため、空気を開口部の外へ追い出すことができ、気泡がダンパ材内部もしくはその奥に溜まることがない。また、隣り合う開口空間側にそれぞれ傾斜しているため、複数の開口空間内に粘性弾性体４を同時に充填することが容易にできる。
【００３４】
また、上記形態では、側壁部５１ａ全周に渡り、その開口側端面５１ｂを仕切り壁５４の開口側端面５４ａより外側に位置させた構成であるが、その一部、例えば仕切り壁５４の仕切り方向に位置する側壁部のみを外側に位置させた構成でもよい。このような構成でも、側壁部と仕切り壁５４の開口側端面５４ａとで形成される空間部をダンパー材充填時のダンパー材溜まり部として利用できる。
【００３５】
さらにまた、上記形態では、ダンパー材に紫外線硬化型粘性弾性体４を使用したが、熱変形等による影響がなければ熱硬化型の粘性弾性体を使用してもよい。
【図面の簡単な説明】
【００３６】
【図１】（ａ）、（ｂ）は、本発明が適用される対物レンズ駆動装置の平面図、および斜め上方からみた斜視図である。
【図２】本発明を適用した対物レンズ駆動装置のダンパー材保持部の構成を示す斜視図である。
【図３】図２のダンパー材保持部のＸ−Ｘ´線断面斜視図である。
【図４】ダンパー材が充填された状態のダンパー材保持部の構成を示す断面図である。
【図５】本発明を適用した対物レンズ駆動装置のダンパー材保持部の変形例を示す斜視図である。
【図６】図５のＹ−Ｙ´線断面斜視図である。
【図７】図５の保持部にダンパ材が充填された状態のダンパー材保持部の構成を示す断面図である。
【符号の説明】
【００３７】
１  対物レンズ駆動装置
２  レンズホルダ
３  対物レンズ
４  紫外線硬化型粘性弾性体（ダンパー材）
５  固定側部材
１５  トラッキング・フォーカシング用駆動マグネット
１６  チルト用駆動マグネット
１７、１９  外ヨーク  
１８、２０  内ヨーク  
５１  保持部
５１ａ  側壁部
５１ｂ  側壁部の開口側端面
５２  凹部
５３ａ、５３ｂ  開口空間
５４、５５  仕切り壁
５４ａ  仕切り壁の開口側端面
５４ｂ  段差面部
５５ａ、５５ｂ  斜面部  
６１、７１、８２  ワイヤ（弾性支持部材）
【図１】
2006221709.tif 000003
【図２】
2006221709.tif 000004
【図３】
2006221709.tif 000005
【図４】
2006221709.tif 000006
【図５】
2006221709.tif 000007
【図６】
2006221709.tif 000008
【図７】
2006221709.tif 000009